(57)【要約】【課題】  補正パラメータの相違による処理結果の違いを容易に視認可能とする。【課題を解決するための手段】  メイン表示部５０を複数の表示領域６０，６１ａ〜６１ｃに分割する。各表示領域６０，６１ａ〜６１ｃにおいて、個別の補正パラメータに基づいて画像補正がなされた補正対象画像を部分的に表示することで、画像表示エリアに単一の補正対象画像を表示する。メイン表示部５０の上側に表示されたインジケータ６４ａ〜６４ｃがスライドバー６３に沿って移動するのに応答して、各表示領域６０，６１ａ〜６１ｃでの画像表示範囲が変化する。各表示領域６０，６１ａ〜６１ｃでの表示範囲を示す領域表示バー６５が、メイン表示部５０の上側に表示されている。領域表示バー６５のうち、選択された表示領域６１ａに対応する部分６５ａがハイライト表示される。【選択図】        図４
2005227897.tif 000002
【特許請求の範囲】
【請求項１】
モニタの画像表示エリア内に補正対象画像を表示する画像表示方法であって、
前記画像表示エリアを複数の部分表示領域に分割し、各部分表示領域において、個別の補正パラメータに基づいて画像補正がなされた前記補正対象画像を部分的に表示することで、前記画像表示エリアに単一の前記補正対象画像を表示することを特徴とする画像表示方法。
【請求項２】
各部分表示領域での画像表示範囲を、１次元又は２次元状に変化可能としたことを特徴とする、請求項１に記載の画像表示方法。
【請求項３】
隣接する２つの前記部分表示領域の境界を表すインジケータを前記画像表示エリアの周辺部に表示し、前記インジケータの移動に従って前記部分表示領域での画像表示範囲を変化させることを特徴とする、請求項２に記載の画像表示方法。
【請求項４】
前記複数の部分表示領域のうち、選択された部分表示領域における画像表示範囲をハイライト表示する領域表示バーが、前記画像表示エリアの周辺部に表示されることを特徴とする、請求項１〜３のいずれか１項に記載の画像表示方法。
【請求項５】
非選択の部分表示領域における画像表示範囲を、互いに異なる色又は濃度にて前記領域表示バーに表示することを特徴とする、請求項４に記載の画像表示方法。
【請求項６】
各々の前記部分表示領域での画像表示範囲の割合を一定にしたまま、前記画像表示エリアで表示される前記補正対象画像の位置又はサイズを変更することを特徴とする、請求項１〜５のいずれか１項に記載の画像表示方法。
【請求項７】
前記補正対象画像に対する、前記部分表示領域の境界位置を一定にしたまま、前記画像表示エリアで表示される前記補正対象画像の位置又はサイズを変更することを特徴とする、請求項１〜５のいずれか１項に記載の画像表示方法。
【請求項８】
前記部分表示領域に対応する前記補正パラメータの値を並べて表示する情報ウインドウを、少なくとも１つ表示することを特徴とする、請求項１〜７のいずれか１項に記載の画像表示方法。
【請求項９】
前記複数の部分表示領域の１つは、固定の補正パラメータに基づき画像補正された前記補正対象画像を表示する基準表示領域であることを特徴とする、請求項１〜８のいずれか１項に記載の画像表示方法。
【請求項１０】
前記基準表示領域は、他の全ての前記部分表示領域に隣接することを特徴とする、請求項９に記載の画像表示方法。
【請求項１１】
異なる補正パラメータにて画像補正がなされた２つの補正対象画像のうち、少なくとも一方を前記部分表示領域に表示するとともに、
前記２つの補正対象画像を所定の比率で合成した合成画像を生成し、前記部分表示領域の一部を、前記合成画像で上書き表示することを特徴とする、請求項１〜１０のいずれか１項に記載の画像表示方法。
【請求項１２】
前記合成画像を表示するためのカーソルを前記モニタ内に表示し、前記カーソルが通過した領域に前記合成画像を表示することを特徴とする、請求項１１に記載の画像表示方法。
【請求項１３】
前記合成画像が表示された領域内で前記カーソルを通過させる毎に、前記比率が増減することを特徴とする、請求項１２に記載の画像表示方法。
【請求項１４】
補正対象画像を画像表示エリア内に表示するモニタと、前記画像表示エリアを複数の部分表示領域に分割し、各部分表示領域において、個別の補正パラメータに基づいて画像補正がなされた前記補正対象画像を部分的に表示することで、前記画像表示エリアに単一の前記補正対象画像を表示する表示制御手段と、を備えたことを特徴とする画像表示装置。
【請求項１５】
モニタの画像表示エリアを複数の部分表示領域に分割し、各部分表示領域において、個別の補正パラメータに基づいて画像補正がなされた前記補正対象画像を部分的に表示することで、前記画像表示エリアに単一の前記補正対象画像を表示する表示制御手段として、コンピュータ装置を機能させることを特徴とする画像表示プログラム。
【発明の詳細な説明】
【技術分野】
【０００１】
本発明は、デジタルカメラ等で得られた画像に対して種々の画像処理を行うために、パーソナルコンピュータ等の情報処理端末に備えられたモニタに画像を表示する方法、装置及びプログラムに関する。
【背景技術】
【０００２】
【特許文献１】特開平１１−１３６５２８号公報
【０００３】
パーソナルコンピュータ（ＰＣ）等の情報処理端末を用いて、デジタル画像のカラーバランスやトーンカーブ等を補正することで、デジタル画像の画質を向上させることができる。例えば、デジタルカメラを用いた撮影では、デジタルカメラからＰＣに画像データが送られる。オペレータは、ＰＣに備え付けのモニタに表示される画像を観察しながら各種の補正パラメータを変更することで、オペレータの意図に適合した仕上がりの画像を得ることができる。また、ホワイトバランス処理がなされていない原画像データ（ＲＡＷデータ）を出力可能なデジタルカメラを用いることにより、デジタルカメラ側で色情報を落とすことなくＰＣ側で画像補正を行うこともできる。
【０００４】
効率良く画像補正を行う手法として、上記特許文献１には、複数の異なる補正パラメータに対応する複数のサンプル画像をモニタに表示し、選択されたサンプル画像の補正パラメータで画像処理を行うことが記載されている。これにより、オペレータは、補正パラメータの相違による画像補正結果の違いを視覚的に判別することができる。
【発明の開示】
【発明が解決しようとする課題】
【０００５】
上記特許文献１に記載の技術では、複数の表示サンプル画像は互いに離間されている。このため、補正パラメータの相違が大きい場合には画像補正結果の違いを判別することができるが、補正パラメータの違いが小さい場合（例えば、微調整時）には、補正結果の相違が判別しにくいという問題がある。特に、結婚式でのスタジオ撮影や商品撮影のように、高画質の画像が要求される場面では、厳密に画像補正を行う必要があり、所望の画像を得るために補正パラメータを小さく変化させる場合が多い。かかる場合には、画像補正結果の相違が判別しにくいと画像補正処理を効率よく行うことができない。
【０００６】
本発明は上記事情に鑑みなされたものであり、補正パラメータの相違による処理結果の違いを容易に視認可能とする画像表示方法、装置及びプログラムを提供することを目的とする。
【課題を解決するための手段】
【０００７】
上記目的を達成するために、本発明では、モニタの画像表示エリアを複数の部分表示領域に分割し、各部分表示領域において、個別の補正パラメータに基づいて画像補正がなされた補正対象画像を部分的に表示することで、画像表示エリアに単一の補正対象画像を表示することを特徴とする。
【０００８】
各部分表示領域での画像表示範囲は、１次元又は２次元状に変化させることができる。また、隣接する２つの部分表示領域の境界を表すインジケータを画像表示エリアの周辺部に表示し、インジケータの移動に従って部分表示領域での画像表示範囲を変化させることが好ましい。
【０００９】
また、複数の部分表示領域のうち、選択された部分表示領域における画像表示範囲をハイライト表示する領域表示バーを、画像表示エリアの周辺部に表示しても良い。さらに、非選択の部分表示領域における画像表示範囲を、互いに異なる色又は濃度にて領域表示バーに表示することが好ましい。
【００１０】
画像表示エリアで表示される補正対象画像の位置又はサイズを変更したときに、各々の部分表示領域での画像表示範囲の割合を一定にしてもよい。あるいは、補正対象画像に対する、部分表示領域の境界位置を一定にしたまま、画像表示エリアで表示される補正対象画像の位置又はサイズを変更しても良い。
【００１１】
部分表示領域に対応する補正パラメータの値を並べて表示する情報ウインドウを、少なくとも１つ表示することもできる。また、複数の部分表示領域の１つは、固定の補正パラメータに基づき画像補正された補正対象画像を表示する基準表示領域とすることが好ましい。さらに、基準表示領域は、他の全ての部分表示領域に隣接して表示されていることが好ましい。
【００１２】
異なる補正パラメータにて画像補正を行うことで得られる２つの補正対象画像を、所定の比率で合成した合成画像を生成し、部分表示領域の一部を合成画像で上書き表示しても良い。また、合成画像を表示するためのカーソルをモニタ内に表示し、カーソルが通過した領域に合成画像を表示しても良い。さらに、合成画像が表示された領域内でカーソルを通過させる毎に合成の比率を増減させても良い。
【発明の効果】
【００１３】
本発明によれば、モニタの画像表示エリアを複数の部分表示領域に分割し、各部分表示領域において、個別の補正パラメータに基づいて画像補正がなされた補正対象画像を部分的に表示することで、画像表示エリアに単一の補正対象画像を表示するようにしたから、補正パラメータの相違による処理結果の違いを容易に視認可能とすることができる。
【００１４】
隣接する２つの部分表示領域の境界を表すインジケータを画像表示エリアの周辺部に表示し、インジケータの移動に従って部分表示領域での画像表示範囲を変化させるようにしたから、部分表示領域の境界が認識しやすくなるとともに、簡単な操作で各部分表示領域での画像表示範囲を変えることができる。
【００１５】
また、選択された部分表示領域における画像表示範囲をハイライト表示する領域表示バーを表示することにより、当該部分表示領域の範囲を容易に認識することができる。さらに、非選択の部分表示領域における画像表示範囲を、互いに異なる色又は濃度にて領域表示バーに表示したから、全ての部分表示領域の範囲を容易に視認することができる。
【００１６】
複数の部分表示領域の１つを、固定の補正パラメータに基づき画像補正された補正対象画像を表示する基準表示領域とするとともに、他の全ての部分表示領域に基準表示領域を隣接して表示したので、補正パラメータを変更する前後の画像を効果的に比較することができる。
【発明を実施するための最良の形態】
【００１７】
図１は、デジタルカメラ１０と画像補正用ＰＣ３０とで構成される撮影システムのブロック図である。画像補正用ＰＣ３０としては、画像補正プログラムがインストールされた市販タイプのパーソナルコンピュータを用いることができる。デジタルカメラ１０と画像補正用ＰＣ３０は、通信ケーブル１１を介して互いに接続され、撮影制御データや画像データを送受信することができる。通信ケーブル１１は、例えばＵＳＢ(Universal Serial Bus)やＩＥＥＥ１３９４に準拠したものが用いられる。通信ケーブル１１の代わりに、無線通信手段を用いてデータの接受を行ってもよい。
【００１８】
デジタルカメラ１０の各部は、データバス１２を介して互いに接続され、ＣＰＵ１３によってその動作が総括的に制御される。ＲＯＭ１４には、デジタルカメラ１０を動作するためのプログラムが記録されており、デジタルカメラ１０の動作時にＲＡＭ１５にロードされる。撮像部１６には、周知の撮影レンズやＣＣＤ等が備えられ、被写体の光学像を光電変換してデジタルの画像データを生成する。絞りやシャッタ速度などの撮影条件は、操作部１７に設けられた各種の設定ボタンを操作することで設定される。画像補正用ＰＣ３０において撮影条件を決定し、通信ケーブル１１を介して設定情報をデジタルカメラ１０に送ることで、撮影条件を設定しても良い。さらに、撮影制御用の別のＰＣをデジタルカメラ１０に接続することもできる。
【００１９】
撮像部１６から出力された画像データは、ＲＡＭ１５にバッファされる。この画像データは、ホワイトバランス処理等の画像補正がなされていない原画像データ（ＲＡＷデータ）であり、各色毎に１２ビットで表される階調値を持った多数の画素データから構成される。画像処理回路１８は、原画像データに対して、各色毎の階調値を８ビットに縮小するとともに、予め機種毎に設定された条件にてホワイトバランス（ＷＢ）処理や階調変換処理等を行い、画像補正済みの画像データを出力する。圧縮／伸張処理回路１９は、画像補正済みの画像データをＪＰＥＧ(Joint Photographic Codintg Expert Group) で定められたフォーマットに従い圧縮して、圧縮画像データを出力する。また、画像補正済みの画像データを間引き演算することで、例えば1280×960 ピクセルのＪＰＥＧ画像データ（サムネイル画像データ）を生成する。
【００２０】
原画像データ又は圧縮画像データは、サムネイル画像データとともに、入出力Ｉ／Ｆ２２を介して画像補正用ＰＣ３０に送られる。ＬＣＤ２３には、撮影モード時には被写体像が連続的に表示され、再生モード時には記録メディア２１内の画像が再生表示される。
【００２１】
なお、原画像データと圧縮画像データの何れを出力するかは、デジタルカメラ１０の撮影条件の設定時に決定することができる。また、原画像データと圧縮画像データの両方を出力しても良い。以下、本実施形態では、デジタルカメラ１０から原画像データのみが出力される場合について説明する。また、本実施形態では、入出力Ｉ／Ｆ２２を介して原画像データを画像補正用ＰＣ３０に直接送信しているが、原画像データを記録メディア２１に記録しておき、この記録メディア２１を画像補正用ＰＣ３０にセットすることで、原画像データを送るようにしても良い。
【００２２】
画像補正用ＰＣ３０は、デジタルカメラ１０から送られた原画像データに基づいて画像をモニタ３１に再生表示するとともに、キーボード３２やマウス３３などの入力デバイスからの操作信号に基づいて種々の画像補正を行う。画像補正用ＰＣ３０の各部は、データバス３４を介して互いに接続され、ＣＰＵ３６によってその動作が総括的に制御される。デジタルカメラ１０からの画像データは、入出力Ｉ／Ｆ３７、データバス３４を介してハードディスク等の外部記憶装置３８に記録される。キーボード３２やマウス３３などの入力デバイスは、後述の画像補正処理時の他、デジタルカメラ１０の撮影条件を設定する際に操作される。
【００２３】
画像補正プログラムは、ＣＤ−ＲＯＭやＤＶＤ−ＲＯＭ等の記録媒体やインターネット等を介して画像補正用ＰＣ３０の外部記憶装置３８にインストールされる。キーボード３２やマウス３３を操作して画像補正プログラムを実行すると、このプログラムがＲＡＭ３９に読み出される。画像補正プログラムが実行されると、まず、外部記憶装置３８に記録された原画像データに対応するサムネイル画像がモニタ３１に一覧表示される。
【００２４】
オペレータがキーボード３２やマウス３３を操作して、補正すべき画像を選択すると、選択された画像に対応する原画像データがＲＡＭ３９に読み出される。そして、画像補正プログラムで予め定められた初期条件にて、例えば各色１６ビットの階調値を持ったＴｉｆｆ(Tagged Image File Format)形式の表示用画像データに変換され、図２に示す第１補正画面がモニタ３１に表示される。
【００２５】
図２に示すように、第１補正画面は、画像表示領域４２と、ホワイトバランスや階調補正等に用いられる補正パラメータを変更するための作業領域（図示せず）を含む。画像表示領域４２には、選択画像（補正対象画像）４１が表示されており、キーボード３２やマウス３３を操作して、ホワイトバランスや階調補正等の補正パラメータを変更する。このとき、補正対象画像４１に対応する原画像データに対して、変更後の補正パラメータにて画像補正が行われ、再び表示用画像データが生成される。これにより、補正パラメータの変更が反映された画像が、画像表示領域４２に表示される。以下、原画像データに画像補正を行い、表示用画像データとして出力する処理を「現像処理」と称する。
【００２６】
また、モニタ３１には、種々のコマンドを入力するためのボタン４３〜４６が表示されている。マウス３３を操作して「ファイル」ボタン４３の上にカーソル４７を移動させ、クリック操作がなされると、外部記憶装置３８に記録された原画像データに対応するサムネイル画像がモニタ３１に一覧表示され、画像補正を行うべき画像を選択することができる。「画像を保存」ボタン４４がクリック操作されると、画像表示領域４２に表示されている画像をファイル出力する。「プリント」ボタン４５がクリック操作されると、画像表示領域４２に表示されている画像をプリント出力する。
【００２７】
「領域分割検定」ボタン４６がクリックされると、異なる補正パラメータにて画像補正された複数の画像を重ねるようにして連続的に表示する第２補正画面（領域分割検定画面）に切り替えられる。図３に示すように、モニタ３１には、補正対象画像４１を表示するメイン表示部５０と、補正対象画像４１の縮小画像を表示するサブ表示部５１と、パラメータ調整領域５２とが表示される。
【００２８】
サブ表示部５１には、補正対象画像４１の全体が縮小表示される。また、サブ表示部５１の内部には矩形状の表示ボックス５３が設けられ、この表示ボックス５３内の領域がメイン表示部５０に表示される。また、メイン表示部５０の右側と下側にそれぞれ設けられたスクロールバー５５，５６を移動することにより、メイン表示部５０内における補正対象画像４１の表示範囲を変えることができる。
【００２９】
メイン表示部５０は隣接する複数の表示領域に分けられており、各表示領域では、それぞれ独立の補正パラメータで現像処理がなされた補正対象画像４１が表示される。図３に示す例では、メイン表示部５０は基準表示領域６０と第１表示領域６１ａの２領域に分けられ、仮想線６２を境界として互いに隣接している。なお、この仮想線６２は、２つの表示領域６０，６１の境界を明示するために、便宜上設けられたものであり、実際はモニタ３１に表示されることはない。
【００３０】
基準表示領域６０及び第１表示領域６１ａに表示される画像は、互いに独立の補正パラメータにより現像処理がなされた画像であり、従って対応する表示用画像データが異なっている。基準表示領域６０は、例えばメイン表示部５０の最も左側に設けられ、第１補正画面にて表示された選択画像４１に対応する。この選択画像４１に対応する表示用画像データのうち、当該基準表示領域６０に表示されるべき部分に対応する画素データが読み出され、選択画像４１の一部分が基準表示領域６０に表示される。また、第２補正画面にて調整された補正パラメータにて原画像データを現像処理することで得られる表示用画像データのうち、当該第１表示領域６１ａに表示すべき部分に対応する画素データが読み出され、第１表示領域６１ａに補正後の画像が表示される。従って、メイン表示部５０には、仮想線６２を挟んで色調やホワイトバランス等が異なった単一の画像が表示される。
【００３１】
メイン表示部５０の上方には、メイン表示部５０の幅に対応した長さを持ったスライドバー６３が表示され、このスライドバー６３と重なるようにしてインジケータ６４ａが表示される。このインジケータ６４ａは、各表示領域６０，６１ａの境界を示している。カーソル４７がインジケータ６４ａの上にある状態で、図中左右方向にカーソル４７をドラッグ移動することで、インジケータ６４ａが図中左右方向に移動する。これにより、各表示領域６０，６１ａの境界、すなわち表示範囲を変えることができる。
【００３２】
図２の例では、２つの表示領域６０，６１ａが設けられているが、キーボード３２やマウス３３を操作してコマンド入力することで、表示領域の数を増減することができる。表示領域の数を増やした場合には、スライドバー６３の上に新たなインジケータが表示され、追加された表示領域の境界を変化することができる。
【００３３】
メイン表示部５０とスライドバー６３との間には、領域表示バー６５が表示される。領域表示バー６５はスライドバー６３と平行に延びており、画像補正の対象となる表示領域（図３の例では基準表示領域６０）に対応する部分６５ａがハイライト表示される。これにより、オペレータは画像補正の対象となる表示領域を容易に認識することができる。また、メイン表示部５０の下方には、補正対象領域の番号を表示するボックス６６が表示されており、キーボード３２を操作してボックス６６内の番号を変えることで、補正対象領域を切り替えることができる。このとき、ハイライト部分６５ａの位置も切り替えられる。あるいは、メイン表示部５０にカーソル４７を移動させ、ダブルクリック操作等の所定の操作を行うことで、補正対象となる領域を切り替えるようにしても良い。
【００３４】
パラメータ調整領域５２には、色調補正、階調補正、ホワイトバランス（ＷＢ）、特殊処理の４タイプの調整画面が設けられ、上部に設けられた切り替えタブ７０を選択することで各調整画面に切り替えられる。図３に示すように、色調補正用のタブが選択されると、パラメータ調整領域５２には色調補正に対応する調整画面が表示され、カラーバランスやブライトネス、コントラスト等のパラメータを調整することができる。
【００３５】
切り替えタブ７０の下方には、「条件保存」ボタン７１と「呼出」ボタン７２とが設けられている。「条件保存」ボタン７１がクリックされると、現在の補正パラメータの値を含む補正条件ファイルが、任意のファイル名で保存される。「呼出」ボタン７２がクリックされると、既に保存されている補正条件ファイルの一覧が表示され、選択された補正条件ファイルに含まれる補正パラメータに基づき、選択画像４１の原画像データを現像処理してメイン表示部５０に表示する。既に補正処理を行った画像と同様の画像補正を行いたい場合には、補正条件ファイルを呼び出せば良く、簡単な操作で画像補正を行うことができる。
【００３６】
パラメータ調整領域５２の中央部には、カラーバランス（ＲＧＢの各色、色相、彩度）、ブライトネス、コントラストといった補正パラメータの値が表示されている。補正パラメータの値は、各々に設けられた入力ボックス７３に数値を直接入力する、あるいはインジケータ７４を図中左右に移動することで、変更することが可能である。各々の補正パラメータが変更されると、選択画像４１に対応する原画像データに対して現像処理が施され、補正後の画像がメイン表示部５０に表示される。
【００３７】
パラメータ調整領域５２の下部には、「印刷」ボタン７６，「ＯＫ］ボタン７７及び「キャンセル」ボタン７８が設けられている。「印刷」ボタン７６がクリックされると、メイン表示部５０に表示されている画像がプリント出力される。「ＯＫ」ボタン７７がクリックされると、図２に示す第１補正画面に戻り、選択された表示領域に対応する画像が表示される。「キャンセル」ボタン７８がクリックされると、補正パラメータによる処理結果を反映させることなく、基準表示領域に対応する画像が第１補正画面に表示される。
【００３８】
階調補正用のタブが選択されると、トーンカーブやガンマ補正のパラメータ値を変更することができる。また、ＷＢ用のタブが選択されると、各基本色毎の濃度ヒストグラムが表示されるとともに、光源や色温度を変更することができる。さらに、特殊処理用のタブが選択されると、ハイパートーン処理やハイパーシャープネス処理のパラメータを調整することができる。
【００３９】
第２補正画面の一例を図４に示す。この例では、メイン表示部５０には、基準表示領域６０のと、第１〜第３表示領域６１ａ〜６１ｃが設けられている。個々の表示領域６０，６１ａ〜６１ｃにおける補正パラメータの値は互いに異なっており、表示される画像の色合いやコントラスト、ホワイトバランス等の仕上がりも互いに異なる。また、スライドバー６３の上には、３つのインジケータ６４ａ〜６４ｃが重ねられている。例えば、左側２つのインジケータ６４ａ，６４ｂをスライド移動することにより、第１表示領域６１ａの幅を変化させることができる。オペレータは、画像補正を行うべき表示領域（例えば第１表示領域６１ａ）を選択し、補正パラメータを変更する。変更後の補正パラメータに従い現像処理が施され、現像処理後の画像の一部分が第１表示領域６１ａに表示される。
【００４０】
このように、異なる補正パラメータで補正処理された結果が、単一の表示画像内で連続的に表示されるため、補正パラメータの相違が小さい場合であっても、補正処理後の画像の変化を容易に視認することができる。これにより、例えば、男性の右腕部分の色合いを微調したい場合に、第１表示領域６１ａと第２表示領域６１ｂとで補正パラメータの値をわずかに変化させることで、現像処理後の画像が当該右腕部分に連続的に表示される。従って、補正処理前後の画像の違いを容易に視認することができ、補正作業を効率よく行うことが可能となる。
【００４１】
また、非選択の表示領域（例えば、第２，第３表示領域６１ｂ，６１ｃ）に対応する、領域表示バー６５の部分６５ｂ、６５ｃが、それぞれ異なるグレー濃度、あるいは異なる色で表示される。このため、オペレータは、非選択の表示領域６１ｂ，６１ｃの境界を容易に視認することができる。
【００４２】
図５に示すように、第２表示領域６１ｂ内でカーソル４７が一定時間停止した場合、あるいは第２表示領域６１ｂ内でクリック操作された場合に、情報ウインドウ８０が表示される。この情報ウインドウ８０はカーソル４７に隣接しており、補正パラメータの値が並べて表示される。これにより、各表示領域に対応する補正パラメータの値を確認することができる。また、図６に示すように、複数の表示領域に対応する情報ウインドウ８０，８１を同時に表示しても良い。さらに、基準表示領域６０に対応する補正パラメータの値も表示するようにしても良い。なお、図面の簡略化を図るために、図５以降の図面に関してはパラメータ調整領域５２を省略する。
【００４３】
マウス３３を操作して、表示ボックス５３の位置や大きさを変化させることで、メイン表示部５０に表示される画像の位置やサイズを変化させても良い。例えば、図７（Ａ）に示す表示ボックス５３を図中右側にシフトさせると、メイン表示部５０に表示される画像の表示範囲が図中左側にシフトする（図７（Ｂ））。また、図８（Ａ）に示す表示ボックス５３のサイズを縮小すると、メイン表示部５０に表示される画像が拡大される（図８（Ｂ））。
【００４４】
図７，図８の例では、各表示領域６０，６１ａ，６１ｂの幅の割合を一定にしたまま、メイン表示部５０に表示される画像の位置やサイズを変化しているが、幅の割合は適宜変更しても良い。例えば、図９（Ａ），（Ｂ）に示すように、各表示領域６０，６１ａ，６１ｂの境界の、表示画像に対する位置が一定になるように、各表示領域６０，６１ａ，６１ｂの幅を変更しても良い。これにより、各表示領域６０，６１ａ，６１ｂの境界を維持したまま、表示画像の位置やサイズを変化することができる。
【００４５】
上記実施形態では、スライドバー６３や領域表示バー６５がメイン表示部５０の上方に設けられているが、これらをメイン表示部５０の下部に表示しても良い。また、図１０に示すように、メイン表示部５０の左側あるいは右側に、スライドバー６３や領域表示バー６５を表示しても良い。
【００４６】
また、図１１に示すように、メイン表示部５０の上側と左側に、スライドバーや領域表示バーを表示して、各表示領域６０，６１ａ，６１ｂを２次元状に配置しても良い。図中、上側のスライドバー９０には、第１表示領域６１ａに対応する一対のインジケータ９１ａと、第２表示領域６１ｂに対応する一対のインジケータ９１ｂが表示されている。また、スライドバー９０の下には、領域表示バー９２が設けられ、各表示領域６０，６１ａ，６１ｂに対応する部分毎に異なる濃度のグレーで表示される。なお、選択表示領域（図１１の例では第１表示領域６１ａ）に対応する部分９２ａはハイライト表示される。
【００４７】
また、図中、左側のスライドバー９５には、第１表示領域６１ａ、第２表示領域６１ｂの各々に対応する一対のインジケータ９６ａ，９６ｂが表示される。スライドバー９５の右方には、領域表示バー９７が設けられ、各表示領域６０，６１ａ，６１ｂに対応する部分毎に異なる濃度のグレーで表示される。なお、選択表示領域（図１１の例では第１表示領域６１ａ）に対応する部分９７ａはハイライト表示される。
【００４８】
この例では、インジケータ９１ａ，９１ｂ，９６ａ，９６ｂを移動することで、各表示領域６０，６１ａ，６１ｂの表示領域を二次元状に変化させることができる。上記の実施例と同様に、同一画面内で各表示領域の画像が表示されるため、補正処理前後の画像の違いを容易に視認することができ、補正作業を効率よく行うことが可能となる。なお、図１１の例では、第１表示領域６１ａに対応するインジケータ９１ａ，９６ａは、第２表示領域６１ｂに対応するインジケータ９１ｂ，９６ｂの内側に位置しているが、インジケータ９１ａ，９６ａの少なくとも一方を第２表示領域６１ｂに対応するインジケータ９１ｂ，９６ｂの外側に移動させても良い。
【００４９】
また、図１２に示すように、基準表示領域６０をＬ字あるいはＴ字形状としてもよい。この場合には、上述したインジケータ６３ａの他、左側のスライドバー１００に重ねられたインジケータ１０１，１０２を図中上下に移動させることにより、基準表示領域６０の図中縦方向の幅を変更することができる。第１〜第４表示領域６１ａ〜６１ｄに表示された全ての画像が、基準表示領域６０の画像と隣接するから、基準表示領域６０の画像に対する仕上がりの相違を容易に視認することができる。
【００５０】
上記実施形態では、メイン表示部５０を矩形状の表示領域で分割しているが、必ずしも矩形である必要はない。例えば、図１３に示すように、円形状の表示領域１１０，楕円形状の表示領域１１１，三角形状の表示領域１１２をメイン表示部５０に設けても良い。また、円形、楕円径及び三角形以外の形状であっても良い。さらに、各領域１１０〜１１２をメイン表示部５０内で拡大し、又は移動することも可能である。各領域１１０〜１１２を囲む鎖線は仮想線を表しており、もちろん、実際にモニタ３１に表示されることはない。
【００５１】
２種類の補正パラメータで現像処理することで２つの補正済み画像（第１画像、第２画像）を生成し、これらを一定の割合で合成して得られた画像を表示してもよい。図１４に示すように、第１表示領域６１ａには第１画像が表示される。そして、ブラシ形状のカーソル１２０がドラッグ操作された領域（混合画像表示領域）１２１に、第１画像と第２画像を一定割合で混合された混合画像を表示する。例えば、混合画像表示領域１２１内のある画素に対応する、第１画像の階調値をＰ１，第２画像の階調値をＰ２としたときに、
Ｐ３＝α・Ｐ１＋（１−α）・Ｐ２
で定められる階調値Ｐ３にて、当該画素を表示する。ポインタ１２０でドラッグされる回数が増える毎に、上式のパラメータαの値を１から徐々に減少させることで、第２画像に近づけることができる。なお、パラメータαの値を１より大きくしたり、負の値としても良い。混合画像表示領域１２１を囲む鎖線は仮想線を表しており、もちろん、実際にモニタ３１に表示されることはない。
【００５２】
上記実施形態では、原画像データに画像補正を行い、表示用データに変換してモニタに表示する例を説明しているが、本発明は、表示用画像データ（例えば、ビットマップ形式やＪＰＥＧ形式のデータ）に画像補正を施して再生表示する場合においても、同様に適用することができる。
【図面の簡単な説明】
【００５３】
【図１】デジタルカメラと画像補正用ＰＣの構成を概略的に示すブロック図である。
【図２】第１補正画面を表す説明図である。
【図３】第２補正画面を表す説明図である。
【図４】第２補正画面の一例を表す説明図である。
【図５】補正パラメータの値を示す情報ウインドウが表示された例を表す説明図である。
【図６】補正パラメータの値を示す複数の情報ウインドウが表示された例を表す説明図である。
【図７】表示画像の位置を変化させた例を示す説明図である。
【図８】表示画像をズーム表示させた例を示す説明図である。
【図９】表示画像をズーム表示させた別の例を示す説明図である。
【図１０】第２補正画面の更に別の例を示す説明図である。
【図１１】各表示領域の画像を２次元状に表示した例を示す説明図である。
【図１２】基準表示領域の形状を変化させた例を示す説明図である。
【図１３】補正対象となる表示領域の形状を変化させた例を示す説明図である。
【図１４】２種類の補正パラメータで補正された２つの画像を、一定の割合で合成して得られた画像を表示する例を示す説明図である。
【符号の説明】
【００５４】
１０  デジタルカメラ
３０  画像補正用ＰＣ
３１  モニタ
４１  補正対象画像
４７，１２０  カーソル
５０  メイン表示部
５１  サブ表示部
５２  パラメータ調整領域
５３  表示ボックス
６０  基準表示領域
６１ａ〜６１ｄ  第１〜第４表示領域
６３，９０，９５，１００  スライドバー
６４ａ〜６４ｄ，９１ａ，９１ｂ，９６ａ，９６ｂ，１０１，１０２  インジケータ
６５，９２，９７  領域表示バー
６５ａ，９２ａ，９７ａ  ハイライト領域
８０，８１  情報ウインドウ
１２１  合成画像表示領域
【図１】
2005227897.tif 000003
【図２】
2005227897.tif 000004
【図３】
2005227897.tif 000005
【図４】
2005227897.tif 000006
【図５】
2005227897.tif 000007
【図６】
2005227897.tif 000008
【図７】
2005227897.tif 000009
【図８】
2005227897.tif 000010
【図９】
2005227897.tif 000011
【図１０】
2005227897.tif 000012
【図１１】
2005227897.tif 000013
【図１２】
2005227897.tif 000014
【図１３】
2005227897.tif 000015
【図１４】
2005227897.tif 000016